(57)【要約】【課題】予約された時に記録を開始及び終了する予約機能を備えた記録装置において、バッテリの残量を考慮しつつ、容易に予約を行えるようにする。【解決手段】バッテリ１２から電力の供給を受けて動作し、記録開始及び終了の時を示す情報と、記録対象を指定する情報とを含む予約情報を入力するための操作部２１と、表示部２０と、を備えた車載装置１において、操作部２１の操作により予約情報が入力された場合に、バッテリ１２の残量と、情報を記録する際の記録形態とを表示部２０の画面上に表示させる。【選択図】図１
2008071391.tif 000002
【特許請求の範囲】
【請求項１】
バッテリから電力の供給を受けて情報を記録する記録装置を制御する記録制御装置において、
表示画面と、情報の記録開始及び終了の時を示す情報と、記録対象を指定する情報とを含む予約情報を入力するための操作部と、を備え、
前記操作部により前記予約情報が入力された場合に、前記バッテリの残量と、前記情報を記録する際の記録形態とを前記表示画面に表示させる表示制御手段を備えたこと、
を特徴とする記録制御装置。
【請求項２】
前記表示制御手段は、前記バッテリの残量と、前記情報を記録する際の記録形態とともに、前記予約情報に基づいて前記情報を記録するために必要な電力量を表示させること、
を特徴とする請求項１記載の記録制御装置。
【請求項３】
前記表示制御手段は、前記操作部によって複数の前記予約情報が入力された場合、前記予約情報毎に必要な電力量を表示させること、
を特徴とする請求項２記載の記録制御装置。
【請求項４】
前記表示制御手段は、複数の前記予約情報に基づいて前記情報を記録するための必要な電力量の総和を表示させること、
を特徴とする請求項３記載の記録制御装置。
【請求項５】
前記表示制御手段は、入力された複数の前記予約情報に記録の優先順位が設定されている場合に、この優先順位に従って前記予約情報毎に必要な電力量を表示させること、
を特徴とする請求項３または請求項４記載の記録制御装置。
【請求項６】
前記表示制御手段は、前記予約情報に基づいて前記情報を記録するために必要な電力量として、前記予約情報に基づいて算出された予測値を表示させること、
を特徴とする請求項２から５のいずれかに記載の記録制御装置。
【請求項７】
バッテリから電力の供給を受けて情報を記録すべく、表示画面と、情報の記録開始及び終了の時を示す情報と、記録対象を指定する情報とを含む予約情報を入力するための操作部とを備えた記録装置を制御する記録制御方法であって、
前記操作部により前記予約情報が入力された場合に、前記バッテリの残量と、前記情報を記録する際の記録形態とを前記表示画面に表示させること、
を特徴とする記録制御方法。
【発明の詳細な説明】
【技術分野】
【０００１】
本発明は、映像や音声等の情報を記録する記録装置を制御する記録制御装置、及び、記録制御方法に関する。
【背景技術】
【０００２】
従来、テレビ或いはラジオ放送を受信して番組の映像及び／又は音声を記録する記録装置として、予め指定された時刻に、指定された番組を受信して記録を行う予約機能を具備したものが知られている。（例えば、特許文献１参照）。このような記録装置においては、予約時に、記録開始の日時、記録終了の日時、及び、記録すべき番組や放送局を指定する情報が入力され、映像または音声を記録する記録メディアがセットされると、記録装置は指定された時刻まで待機し、指定された記録を実行する。これにより、ユーザが不在のときに放送される番組を記録することが可能となり、極めて利便性が高い。
【特許文献１】特開２００１−３３３３３６号公報
【発明の開示】
【発明が解決しようとする課題】
【０００３】
ところで、上記のような予約機能を具備した記録装置をバッテリ駆動により実現しようとした場合、記録実行中にバッテリの残量が不足すると、予約された記録動作を完了できないおそれがある。上述のように、予約機能はユーザが不在のときのために利用されることが多く、記録実行中にユーザがバッテリの状態を監視して、残量不足時には別の電源を用意する必要があるとすれば、予約機能の利便性が著しく損なわれる。
【０００４】
そこで、本発明は、上述した課題を鑑みてなされたものであり、予約された時に記録を開始及び終了する予約機能を備えた記録装置において、バッテリの残量を考慮しつつ、容易に予約を行えるようにすることを目的とする。
【課題を解決するための手段】
【０００５】
上記課題を解決するため、本発明は、バッテリから電力の供給を受けて情報を記録する記録装置を制御する記録制御装置において、表示画面と、情報の記録開始及び終了の時を示す情報と、記録対象を指定する情報とを含む予約情報を入力するための操作部と、を備え、前記操作部により前記予約情報が入力された場合に、前記バッテリの残量と、前記情報を記録する際の記録形態とを前記表示画面に表示させる表示制御手段を備えたこと、を特徴とする記録制御装置を提供する。
【０００６】
ここで、記録装置により記録される情報としては、映像、音声、文字等の各種情報が挙げられ、複数種類の情報（例えば、映像と音声）を対応づけて同時に記録するものとしてもよい。また、記録開始及び終了の時を示す情報とは、具体的には、記録開始及び終了の年、月、日、時、分、秒のうち、少なくとも時及び分を示す情報である。また、記録対象を指定する情報としては、例えば、放送を受信して放送される映像と音声、または音声のみを記録する場合において、選局を行うための情報や、放送される番組を指定する情報等が挙げられるが、その具体的構成は任意である。
【０００７】
本発明によれば、バッテリから電力の供給を受けて動作する記録装置を制御する記録制御装置において、操作部によって予約情報が入力されると、表示画面に、バッテリの残量と記録形態とが表示される。これにより、バッテリの残量を見ながら予約情報の記録形態を変更する等、バッテリの残量を考慮した予約の操作を容易に行うことができる。
【０００８】
本発明において、前記表示制御手段は、前記バッテリの残量と、前記情報を記録する際の記録形態とともに、前記予約情報に基づいて前記情報を記録するために必要な電力量を表示させるものとしてもよい。
この場合、操作部によって予約情報が入力されると、表示画面に、バッテリの残量と記録形態とともに、予約情報に基づいて情報を記録するために必要な電力量が表示されるので、表示画面を見るだけでバッテリの残量と必要な電力量とを容易に把握できるので、予約情報を変更するなど、バッテリの残量を考慮した予約の操作を容易に行うことができる。
【０００９】
また、本発明において、前記表示制御手段は、前記操作部によって複数の前記予約情報が入力された場合、前記予約情報毎に必要な電力量を表示させるものとしてもよい。
この場合、複数の予約情報について予約情報毎に必要な電力量が表示されるので、入力した予約情報と必要な電力量との関係を容易に把握できるほか、予約情報毎の電力量の比較等を行えるといった利点がある。
【００１０】
また、本発明において前記表示制御手段は、複数の前記予約情報に基づいて前記情報を記録するための必要な電力量の総和を表示させるものとしてもよい。
この場合、複数の予約情報に基づいて情報を記録するために必要な電力量の総和が表示されるので、バッテリの残量が十分であるか否かを容易に把握でき、全ての予約情報に基づいて情報を記録できるか否かを容易に判別できる。
【００１１】
また、本発明において、前記表示制御手段は、入力された複数の前記予約情報に記録の優先順位が設定されている場合に、この優先順位に従って前記予約情報毎に必要な電力量を表示させるものとしてもよい。
この場合、予約情報の優先順位に従って必要な電力量が表示されるので、予約情報毎に必要な電力量を容易に把握できるとともに、バッテリの残量を見ながら優先順位が適切か否か等を判断できる等の利点がある。
【００１２】
また、本発明において、前記表示制御手段は、前記予約情報に基づいて前記情報を記録するために必要な電力量として、前記予約情報に基づいて算出された予測値を表示させるものとしてもよい。
この場合、予約情報に基づいて予測された電力量が表示されるので、予約情報に適合した電力量が表示され、ユーザが、より的確な判断を行うことが可能となる。
【００１３】
本発明は、バッテリから電力の供給を受けて情報を記録すべく、表示画面と、情報の記録開始及び終了の時を示す情報と、記録対象を指定する情報とを含む予約情報を入力するための操作部とを備えた記録装置を制御する記録制御方法であって、前記操作部により前記予約情報が入力された場合に、前記バッテリの残量と、前記情報を記録する際の記録形態とを前記表示画面に表示させること、を特徴とする記録制御方法を提供する。
本発明によれば、バッテリから電力の供給を受けて動作する記録装置を制御する記録制御装置において、操作部によって予約情報が入力されると、表示画面に、バッテリの残量と記録形態とが表示される。これにより、バッテリの残量を見ながら予約情報の記録形態を変更する等、バッテリの残量を考慮した予約の操作を容易に行うことができる。
【発明の効果】
【００１４】
本発明によれば、バッテリから電力の供給を受けて情報を記録する記録装置に対し、バッテリの残量を考慮した予約の操作を容易に行うことができる。
【発明を実施するための最良の形態】
【００１５】
以下、本発明の実施形態を、図面に基づいて説明する。
図１は、本発明の実施形態に係る車載装置１の構成を示すブロック図である。
記録装置及び記録制御装置としての車載装置１は、車輌に搭載され、地上デジタルテレビ放送等の放送電波を受信し、放送される番組を録画（記録）する装置である。車載装置１は、ＡＣＣ電源供給線２を介して車輌から供給される電源に基づいて動作するものであるが、車輌の駐停車等により電源が供給されない場合は、内蔵するバッテリ１２に基づき動作できるよう構成されている。
【００１６】
図１に示すように、車載装置１は、バッテリ１２とともに、ＡＣＣ電源供給線２から供給される電源によりバッテリ１２への充電を行う充電部１１を備え、さらに、車載装置１の駆動電源を、ＡＣＣ電源供給線２から供給される電源と、バッテリ１２との間で切り替える切替部１３を備える。
また、車載装置１は、切替部１３により切り替えて供給される電源を車載装置１の各部に分配する電源分配回路部１４、バッテリ１２の残量を検出するバッテリ残量検出部１５、車載装置１の各部を制御するマイコン１６、アンテナ１７ａにより放送電波を受信するチューナ部１７、チューナ部１７における受信状態を検出する受信状態検出部１８、チューナ部１７により受信された放送番組の音声や映像を記録する記録部１９、車載装置１の動作状態や記録部１９により記録された映像等を表示する表示部２０、車載装置１を操作するためのスイッチ等を有する操作部２１を備えている。また、車載装置１は、音声を出力するスピーカを備えているが、ここでは図示しない。
【００１７】
ＡＣＣ電源供給線２は、車輌に搭載されたバッテリ（図示略）や発電装置（図示略）からＡＣＣ（アクセサリ）電源が供給される間、所定電圧（例えば、１４ボルト）の直流電源を供給する電源ラインである。
充電部１１は、ＡＣＣ電源供給線２を介して直流電源が供給されている状態において、バッテリ１２への充電を行う。バッテリ１２の充電は、車載装置１が動作中であっても停止中であっても行うことができる。また、充電部１１は、ＡＣＣ電源供給線２からの直流電源の電圧変換やバッテリ１２の過充電保護等の制御を行うことも可能である。この充電部１１とＡＣＣ電源供給線２との接続部は着脱可能に構成され、車載装置１からＡＣＣ電源供給線２を取り外すことが可能となっている。
【００１８】
切替部１３は、ＡＣＣ電源供給線２による直流電源の供給状態を検出し、この供給状態に応じて、電源分配回路部１４に、ＡＣＣ電源供給線２とバッテリ１２とを切り替えて接続する。すなわち、ＡＣＣ電源供給線２から直流電源が供給されている状態では、この直流電源を電源分配回路部１４に接続する。また、ＡＣＣ電源供給線２による電源の供給がない状態では、電源分配回路部１４にバッテリ１２を接続する。
【００１９】
バッテリ残量検出部１５は、バッテリ１２における残量（残容量）を検出し、検出した残量を示す情報をマイコン１６に出力する。バッテリ残量検出部１５は、例えば、バッテリ１２の出力電圧またはバッテリ１２を構成するセル（図示略）の両端電圧を検出し、或いは、バッテリ１２の入出力電流を積算することにより、バッテリ１２の残量を検出する。
【００２０】
チューナ部１７には、上記車輌の外部または内部に設置されたアンテナ１７ａが接続される。チューナ部１７は、アンテナ１７ａを介して、地上デジタルテレビ放送、衛星デジタル放送、地上波アナログテレビ放送、ＦＭやＡＭ等のラジオ放送等の放送電波を受信する。そして、チューナ部１７は、マイコン１６の制御に従って選局を行うとともに、選局した放送信号を復号または復調して映像信号と音声信号、若しくは音声信号のみを生成し、記録部１９に出力する。
本実施形態において、チューナ部１７は、少なくとも、地上デジタルテレビ放送の１２セグメント放送と、１セグメント放送とを受信可能であるが、その他の放送を受信可能なものとすることも勿論可能である。
【００２１】
記録部１９は、磁気的記録媒体、磁気光学的記録媒体、光学的記録媒体、或いは半導体記憶デバイス等の記録媒体を具備する。記録部１９は、マイコン１６の制御に従って、チューナ部１７から入力される映像信号や音声信号を、所定の記録フォーマットで符号化して、上記記録媒体に記録する。本実施形態において、記録部１９は、映像信号を記録する際の記録フォーマットとして、少なくとも、無圧縮形式、及び、所定の圧縮方式によりデータ量を圧縮する圧縮形式の２種類を利用可能である。また、記録部１９は、チューナ部１７から音声信号と映像信号とが入力される場合に、マイコン１６の制御に従って、音声信号のみを記録することも可能である。なお、記録部１９は、圧縮形式として高画質モード、標準画質モード、低画質モード等の複数種類の形式を選択可能な構成としてもよい。
また、記録部１９は、チューナ部１７から入力される映像信号を表示部２０に出力して、表示部２０により映像を表示させるとともに、チューナ部１７から入力される音声信号を上記スピーカ（図示略）に出力して音声を出力させる。
【００２２】
表示部２０は、ＬＣＤ（液晶ディスプレイ）パネルや有機ＥＬ（Electro-Luminescence）パネル等の表示画面を備え、この表示画面上に、操作部２１により車載装置１を操作するための操作画面、及び、チューナ部１７により受信中の映像や記録部１９により記録された映像等を表示する。
【００２３】
操作部２１は、プッシュボタンスイッチ、キースイッチ、ロータリースイッチ等の各種スイッチの他、表示部２０の表示画面に重ねて配設されたタッチパネルを備え、上記各種スイッチ及びタッチパネルにおける操作を示す操作信号を生成して、マイコン１６に出力する。
【００２４】
マイコン１６は、予め内蔵されたプログラムを実行することにより、車載装置１の各部を制御する。
具体的には、マイコン１６は、操作部２１の操作によって放送の受信が指示された場合には、チューナ部１７を制御して、操作部２１により指示された放送局からの放送を選局させ、その映像信号及び音声信号を受信させる。また、マイコン１６は、記録部１９及び表示部２０を制御して、チューナ部１７から出力される映像を表示部２０により表示させる。さらに、マイコン１６は、現在時刻及び日時を計時する計時機能を有する。
【００２５】
また、マイコン１６は、操作部２１の操作によって放送の記録が指示された場合、チューナ部１７によって選局を行わせ、ここでチューナ部１７から出力される映像信号及び音声信号を記録部１９によって記録させる。
【００２６】
車載装置１は、将来放送される番組の記録を、予め指示しておく予約機能を備えている。この予約機能は、ユーザが操作部２１を操作して、記録したい番組について、放送局、記録開始および終了の日時、番組名等を含む予約情報を入力すると、車載装置１が予約情報に基づく動作の設定を行った上で動作を停止して待機状態に移行する。そして、予約情報により指定された時刻に達すると、車載装置１が動作を開始して放送を受信し、番組映像及び音声を記録する。
さらに、車載装置１は、予約機能により記録を予約する際に、バッテリ１２の残量に基づいて、予約された通りの記録を行えるか否かを判定する機能を有する。上述のように、車載装置１は、車輌の駐停車中にＡＣＣ電源供給線２からの電力供給が無くても、バッテリ１２を電源として動作することが可能である。しかしながら、バッテリ１２の容量には限りがあるため、多数または長時間の番組を記録する旨の予約がなされた場合、予約された内容を全て記録できない事態が起こり得る。そこで、車載装置１は、バッテリ１２の残量で足りる内容である場合に、予約を受け付ける。
【００２７】
上記の予約機能を実現するため、マイコン１６は、操作部２１の操作によって放送の記録予約が指示された場合には、後述する予約処理（図２）を実行する。
予約処理に際しては、操作部２１の操作により、予約情報が入力される。予約情報は、記録開始の日時を示す情報、記録終了の日時を示す情報、記録したい番組または当該番組を放送する放送局を指定する情報、記録形式を示す情報等を含む情報である。車載装置１は、一つの予約情報を一単位として記録を実行するので、例えば一つの予約情報は一つの番組に対応するが、放送時間が連続する複数の番組をまとめて記録する場合には、これら複数の番組を合わせて一つの予約情報としてもよい。
【００２８】
予約処理において、マイコン１６は、操作部２１の操作によって予約情報が入力されると、この予約情報を取得するとともに、この予約情報に従って記録を行う場合に必要電力量を予測し、さらに、バッテリ残量検出部１５によって検出されたバッテリ１２の残量に基づいて、予約情報の通りに記録を行うことが可能か否かを判定する。ここで、予約情報は、操作部２１によって複数入力することが可能であり、これら複数の予約情報は、予約開始及び終了の日時が連続していてもよいし、離れた日時であってもよく、選局すべき局が同一であるか否かも問わない。
そして、バッテリ１２の残量の不足により記録を行うことができないと判定した場合には、マイコン１６は、その旨を表示部２０の表示により報知して、予約情報の修正または削除を行うための操作画面を表示部２０によって表示させる。
【００２９】
また、複数の予約情報が入力された場合は、予約情報の削除を行う際の便宜を図る等の目的で、各々の予約情報に優先順位を設定する。この優先順位は、マイコン１６の処理により暫定的に設定され、その後の操作部２１の操作により変更可能である。
上述のように、マイコン１６は、予約情報の入力時にバッテリ１２の残量に基づいて実行可能か否かを判定する。このため、設定が完了した予約情報については、記録を実行できるはずであるが、例えばバッテリ１２の劣化や温度等の環境要因により、バッテリ１２の残量が予測を超えて著しく消耗し、全ての予約情報を実行できなくなる可能性がある。このように、実際に記録を行っている間にバッテリ１２の残量が不足した場合には、マイコン１６は、優先順位が最も低い予約情報について、記録を中止する。すなわち、バッテリ１２の残量不足の場合は、優先順位が高い予約情報を優先して記録する。
以下、予約機能を実現するための予約処理、及び、記録処理について、詳細に説明する。
【００３０】
図２は、予約処理を示すフローチャートである。
予約処理では、まず、操作部２１操作によって予約情報が入力される（ステップＳ１１）。マイコン１６は、入力された予約情報を取得すると（ステップＳ１２）、取得した予約情報に対して仮の優先順位を設定する（ステップＳ１３）。仮の優先順位とは、上述したように暫定的に設定される優先順位であり、例えば、一つの入力情報が入力される毎に、最上位の優先順位から順次、優先順位が設定される。
【００３１】
全ての予約情報の入力が完了するまでステップＳ１１〜Ｓ１３の処理が繰り返され、入力が完了すると（ステップＳ１４；Ｙｅｓ）、マイコン１６はバッテリ残量の検出を実行する（ステップＳ１５）。このステップＳ１５で、マイコン１６は、バッテリ残量検出部１５によってバッテリ残量を検出させて検出値を取得する。
また、マイコン１６は、ステップＳ１１で取得した各々の予約情報について、その予約情報に従って記録を行うために必要な電力量の予測値を算出する（ステップＳ１６）。具体的な例としては、マイコン１６は、記録開始及び記録終了の日時をもとに記録を実行する時間を求め、この時間と、記録形式とに基づいて、必要な電力量の予測値を算出する。なお、ステップＳ１７で、予約処理を行っている時刻に基づいて、記録開始までに車載装置１が消費する電力量を加味して予測値を求めてもよい。
【００３２】
そして、マイコン１６は、ステップＳ１５で取得したバッテリ１２の残量とステップＳ１６で算出した必要な電力量をもとに、予約情報に基づく記録を実行可能か否かを判定する（ステップＳ１７）。操作部２１により複数の予約情報が入力された場合、ステップＳ１７では、これら複数の予約情報の各々について算出した電力量の総和と、バッテリ１２の残量とを比較することで、記録の実行が可能か否かを判定する。
全ての予約情報の記録が可能であると判定した場合、マイコン１６は、予約情報をメモリ１６ａに記憶するとともに、その予約情報に従って記録を行うよう設定を行い（ステップＳ１８）、待機状態に移行する（ステップＳ１９）。この待機状態は、記録開始の時刻まで、電力の消費を抑えるべく計時動作を除くほぼ全ての車載装置１の動作を停止した状態である。
【００３３】
また、ステップＳ１５で取得したバッテリ１２の残量とステップＳ１６で算出した必要な電力量とを比較した結果、全ての予約情報に基づく記録実行ができないと判定した場合（ステップＳ１７；Ｎｏ）、予約情報の変更や削除等を行うための動作に移行する。
すなわち、マイコン１６は、表示部２０の表示画面上に予約情報の一覧を表示させるとともに、解決方法の候補を一覧表示する（ステップＳ２０）。ここで表示される解決法補うとは、予約情報の内容を変更することで必要な電力量を低減させるための方法である。解決方法の具体的な例を挙げれば、チューナ部１７で受信する放送を、１２セグメント放送から１セグメント放送に変更すれば、受信及び復号に係る情報量が減るため、チューナ部１７及び記録部１９が消費する電力量が低減される。また、映像及び音声の記録フォーマットを無圧縮に変更すれば、記録部１９の消費電力量が低減される。ステップＳ２０では、上記のような解決方法を、各々の予約情報に対応させて一覧表示する。
【００３４】
ここで、一覧表示された予約情報について優先順位を変更する指示が入力された場合は（ステップＳ２１；Ｙｅｓ）、指示に従って優先順位を変更する（ステップＳ２２）。
また、一覧表示された候補の中から解決方法を選択する操作が行われた場合、マイコン１６は操作を取得して（ステップＳ２３）、選択された解決方法を適用した場合に必要な電力量を算出する（ステップＳ２４）。
例えば、ある予約情報について、１２セグメント放送から１セグメント放送に変更する解決方法が選択された場合、マイコン１６は、１セグメント放送を受信して記録するという条件に従い、その予約情報に基づく記録に必要な電力量を算出する。
【００３５】
そして、マイコン１６は、ステップＳ２５で算出した電力量とステップＳ１５で取得したバッテリ１２の残量とをもとに、全ての予約情報に基づく記録を実行可能か否かを判定し（ステップＳ２５）、全ての予約情報の記録が可能であると判定した場合は、ステップＳ１８に移行する。また、全ての予約情報に基づく記録実行ができないと判定した場合は、ステップＳ２０に戻って、解決候補の一覧を表示する。
【００３６】
図３は、上記の予約処理において、表示部２０が備える表示画面上に表示される画面の一例を示す図である。この予約画面３０ａを表示する動作において、マイコン１６は、表示制御手段として機能する。
この図３に示す予約画面３０ａは、入力された予約情報に対してバッテリ１２の残量が不足している場合（ステップＳ２０）に表示される画面の一例である。
予約画面３０ａの最上部にはメッセージ表示部３１が配置され、ここにバッテリ残量が不足している旨のメッセージが表示される。
また、予約画面３０ａの上部に配置されるバッテリ残量表示部３２には、バッテリ１２の残量を示すインジケータが表示される。このインジケータには、例えば、記録開始時点で確実に見込むことができる量と、記録開始まで消費される可能性のある量とが色分け表示される。
【００３７】
そして、予約画面３０ａの中央及び下部には、入力された予約情報の内容が、予約情報毎に表示される。予約画面３０ａでは、一つの予約情報に係る表示エリアが仮想的に積み重なった構成とされ、予約情報タブ３３の操作により、各々の予約情報を切り替えて表示させることができる。
この表示エリアには、現在表示中の予約情報に係る優先順位を変更するための優先順位変更指示部４０ａ、４０ｂ、及び、現在表示中の予約情報に係る番組の内容を表示する番組内容表示部４１が配置され、さらに、現在表示中の予約情報に係る解決方法表示部４２〜４５が一覧表示される。
上述したように、操作部２１は表示部２０の表示画面に重ねて配設されるタッチパネルを備えている。従って、ユーザは、予約画面３０ａの予約情報タブ３３、優先順位変更指示部４０ａ、４０ｂ、解決方法表示部４２〜４５の表示位置に触れるだけで、選択操作を行うことができる。
【００３８】
解決方法表示部４２〜４５には、表示中の予約情報の内容を、必要な電力量を低減させるよう変更するための方法がそれぞれ表示される。ここで、マイコン１６は、解決方法表示部４２〜４５に表示される解決方法の各々を表示させる前に、その解決方法を採用することで全ての予約情報の記録が可能になるよう、予め電力量の低減幅を算出し、バッテリ１２の残量の不足分と比較を行うようにしてもよい。
【００３９】
この予約画面３０ａが表示された状態で、ユーザは、バッテリ残量表示部３２に表示されるインジケータを参照し、解決方法表示部４２〜４５のいずれかを選択することにより、適切な解決方法を選択して予約情報を変更し、必要な電力量を低減させる。例えば、一つの予約情報について大幅に電力量を減らしてもよいし、複数の予約情報を変更して電力量を減らしてもよい。また、ユーザは、優先順位変更指示部４０ａ、４０ｂを操作して、予約情報の優先順位を変更することができる。
このように、予約画面３０ａを用いれば、バッテリ１２の残量の不足により全ての予約情報に基づく記録を完了できない場合に、予約情報を容易に変更できる。
なお、予約画面３０ａには、予約情報の削除を指示する操作部や、新たに予約情報を入力の開始を指示する操作部を設けてもよい。
【００４０】
図４は、上記の予約処理において、表示部２０が備える表示画面上に表示される画面の別の例を示す図である。この予約画面３０ｂを表示する動作において、マイコン１６は、表示制御手段として機能する。
この図４に示す予約画面３０ａは、入力された予約情報に対してバッテリ１２の残量が不足している場合（ステップＳ２０）に表示される画面の一例である。
予約画面３０ｂの最上部にはメッセージ表示部５１が配置され、ここにバッテリ残量が不足している旨のメッセージが表示される。また、予約画面３０ｂの左端には上下に延びるバッテリ残量表示部３２が配置され、バッテリ１２の残量を示すインジケータ等が表示される。このインジケータには、例えば、記録開始時点で確実に見込むことができる量と、記録開始まで消費される可能性のある量とが色分け表示される。
また、予約画面３０ｂの左側には、バッテリ残量表示部５２に並べて、電力量表示部５３が配置される。この電力量表示部５３には、予約情報毎に必要な電力量が、予約情報の優先順位に従って上下に並び、例えば色分け表示される。
このため、バッテリ残量表示部５２と電力量表示部５３とを比較すれば、バッテリ１２の残量が十分か否かだけでなく、各予約情報に対応する電力量の比較を行うことができ、さらにバッテリ１２の残量の不足分を容易に視認できる等の利点がある。
【００４１】
また、電力量表示部５３の上下端には、予約情報に係る優先順位を変更するための優先順位変更指示部５４ａ、５４ｂが配置される。この優先順位変更指示部５４ａ、５４ｂの操作により、各予約情報の優先順位を容易に変更できる。ここで各予約情報の優先順位は、電力量表示部５３における表示順として容易に視認できるので、優先順位を変更する操作も、直感的で容易な操作である。
【００４２】
予約画面３０ｂの中央から右端にかけては、入力された予約情報の内容が、予約情報毎に表示される。予約画面３０ｂでは、一つの予約情報に係る表示エリアが上下に並べて配置され、この表示エリアのうち一の表示エリアが選択されると、その表示エリアが画面左端まで拡大されて、当該予約情報に係る解決方法を示す解決方法表示部６１〜６５が表示される。
例えば図４に示す予約画面３０ｂにおいて、解決方法表示部６１には「１ｓｅｇ形式」と表示されている。これは、この予約情報に係る番組の１セグメント放送を受信するように設定することで、電力量の低減を図る解決方法である。解決方法表示部６１に「バッテリ使用量：小」と表示されているように、通常、チューナ部１７の動作に係る消費電力量は、１２セグメント放送受信時に比べ、１セグメント放送受信時の方が少ない。
また、例えば解決方法表示部６２には、「１２ｓｅｇ無圧縮」と表示されている。これは、この予約情報に係る番組の１２セグメント放送を受信し、かつ、記録部１９による記録フォーマットを無圧縮形式に設定することで、電力量の低減を図る解決方法である。解決方法表示部６１に「バッテリ使用量：中」と表示されているように、１２セグメント放送受信時は、１セグメント放送受信時に比べて消費電力量が多いが、記録フォーマットを無圧縮形式とすることで、情報の圧縮に要する電力量を節約できる。
さらに、例えば解決方法表示部６４には、「音声のみ」と表示されている。これは、この予約情報に係る番組の音声のみを記録するよう設定することで、電力量の低減を図る解決方法である。解決方法表示部６１に「バッテリ使用量：極小」と表示されているように、映像を記録しないことで記録部１９における消費電力量を大幅に節約できる。
【００４３】
解決方法表示部６１〜６５には、表示中の予約情報の内容を、必要な電力量を低減させるよう変更するための方法がそれぞれ表示される。ここで、マイコン１６は、解決方法表示部６１〜６５に表示される解決方法の各々を表示させる前に、その解決方法を採用することで低減される電力量をも表示してもよい。
【００４４】
この予約画面３０ｂが表示された状態で、ユーザは、バッテリ残量表示部５２及び電力量表示部５３を参照し、一または複数の予約情報について、解決方法表示部６１〜６５のいずれかを選択することにより、適切な解決方法を選択して予約情報を変更し、必要な電力量を低減させることができる。
【００４５】
以上の予約処理により、ユーザが操作部２１を操作して予約情報を入力すると、入力された予約情報に対してバッテリ１２の残量が十分であれば予約情報が設定されるので、バッテリ１２の残量不足が原因で予約した通りの記録が行えないという不具合を確実に防止できる。また、入力された予約情報に対してバッテリ１２の残量が不足している場合には、表示部２０に表示される予約画面３０ａ、３０ｂ等の画面を参照しながら予約情報を変更し、バッテリ１２の残量に見合った予約を行うことができる。
【００４６】
図５は、図２に示した予約処理により予約された内容に従って、放送の受信及び記録を行う記録処理を示すフローチャートである。
図２のステップＳ１９で待機状態に移行したマイコン１６は、内部的に計時している時刻を参照し、予約情報の記録開始時刻が到達するまで待機している（ステップＳ４１）。そして、記録開始時刻に達した場合（ステップＳ４１；Ｙｅｓ）、マイコン１６は、バッテリ残量検出部１５によってバッテリ１２の残量を検出した検出値を取得し（ステップＳ４２）、この検出値と、図２のステップＳ１６またはステップＳ２４で算出した電力量の操作とをもとに、全ての予約情報に基づく記録を実行可能か否かを判定する（ステップＳ４３）。このステップＳ４３で、マイコン１６は、設定された予約情報のうち、既に実行した予約情報を除く未実行の予約情報のみについて、判定を行う。
【００４７】
ここで、全ての予約情報に基づく記録を実行可能な場合、マイコン１６は、予約情報に従ってチューナ部１７及び記録部１９を制御して記録を実行させ（ステップＳ４４）、全ての予約情報に基づく記録が完了していれば本処理を終了し、未実行の予約情報がある場合はステップＳ４１に戻る。
【００４８】
また、全ての予約情報に基づく記録を実行できないと判定した場合、マイコン１６は、優先順位が最も低い予約情報を削除する処理を行い（ステップＳ４６）、ステップＳ４３に戻る。これにより、優先順位の高い予約情報を確実に実行できるようにする。
【００４９】
以上のように、本発明を適用した実施の形態に係る車載装置１は、バッテリ１２の電力に基づいて放送を受信して映像及び／又は音声を記録する記録動作を実行可能に構成され、ユーザにより予約情報が入力された場合に、バッテリ１２の残量と、予約情報に基づく記録動作に必要な電力量の予測値とをもとに、予約情報に基づく記録実行の可否が判定されるので、誤ってバッテリ１２の残量を超える予約がされず、記録の実行時におけるバッテリ残量不足を防止できる。
ここで、操作部２１の操作によって複数の予約情報が入力された場合は、予約情報毎に必要な電力量を予測し、予測した電力量の総和とバッテリ１２の残量とをもとに、全ての予約情報に基づく記録が実行可能か否かを判定するので、複数の予約情報が入力された場合であっても確実にバッテリ１２の残量不足を防止できる。
【００５０】
また、入力された予約情報がバッテリ１２の残量に見合わない場合には、予約画面３０ａ、３０ｂを表示して、ユーザに対して予約情報の変更または削除を案内するので、ユーザが予約情報の変更または削除を容易に行うことができ、予約情報の入力に係る手間を省くことが期待できる。
【００５１】
さらに、記録を実行する際に未実行の予約情報に基づく記録を実行可能か否かを判定し、実行可能でない場合は未実行の予約情報の一部に基づく記録を行わないので、予約情報に基づく記録の実行中にバッテリ１２の容量不足となることがない。これにより、一つの予約情報に基づく記録が途中で停止してしまうといった不具合を防止できる。
ここで、未実行の予約情報に基づく記録を全て実行することができない場合は、予め定められた優先順位が最も低い予約情報について、記録を行わないよう制御するので、優先順位の高い予約情報に基づく記録を確実に実行可能としつつ、バッテリ１２の容量不足を防止できる。また、優先順位に従って予約情報の処理に差を付けることで、重要性の高い予約情報を優先することができる。
【００５２】
そして、車載装置１においては、操作部２１により予約情報が入力された場合に、予約画面３０ａ、３０ｂを表示する。この予約画面３０ａ、３０ｂには、バッテリ１２の残量、映像及び音声の記録形式が表示されるため、ユーザは、バッテリ１２の残量を見ながら予約情報の記録形式を変更するなど、バッテリ１２の残量を考慮した予約を容易に行える。さらに、予約画面３０ｂには、予約情報に基づいて情報を記録するために必要な電力量が表示されるので、予約画面３０ｂを見れば、バッテリ１２の残量と必要な電力量とを容易に把握できる。これにより、バッテリ１２の残量を考慮した予約の操作を容易に行うことができる。
また、予約画面３０ｂには、複数の予約情報について予約情報毎に必要な電力量が表示されるので、入力した予約情報と必要な電力量との関係を容易に把握できるほか、予約情報毎の電力量の比較等を行えるといった利点がある。
【００５３】
さらに、予約画面３０ｂには、複数の予約情報毎の必要な電力量のほか、必要な電力量の総和が表示されるので、全ての予約情報に対してバッテリ１２の残量が十分であるか否かを容易に把握でき、記録が可能な否かを容易に判別できる。
また、予約画面３０ｂにおいては、複数の予約情報に記録の優先順位が設定されている場合に、この優先順位に従って予約情報毎に必要な電力量が表示されるので、バッテリ１２の残量を見ながら優先順位が適切か否か等を判断できる等の利点がある。
【００５４】
なお、上記実施の形態は本発明の実施態様の一例を示したものであり、本発明の適用範囲は上記実施の形態に限定されない。例えば、上記実施の形態においては、上記の予約処理と記録処理との両方を実行可能な車載装置１について説明したが、本発明はこれに限定されるものではなく、予約処理を実行可能な記録制御装置と、この記録制御装置の制御のもとに放送を受信して記録を行う記録装置とを別体として構成してもよい。
さらに、上記実施の形態においては、車載装置１によって、地上デジタルテレビ放送を受信する場合について説明したが、本発明はこれに限定されるものではなく、衛星デジタル放送やラジオ放送を受信するものとしてもよい。また、デジタル放送を受信する場合には、番組とともに放送される電子番組表（ＥＰＧ）情報を利用して、予約情報の入力時に番組表を表示するようにしてもよい。
【００５５】
また、例えば、上記実施の形態に係る車載装置１を、表示部２０を備えたものとして説明したが、本発明はこれに限定されるものではなく、例えば、車載装置１が搭載された車輌に設置されているカーナビゲーション装置やカーオーディオ装置が備える表示画面を、表示部２０に代えて利用する構成としてもよい。同様に、操作部２１に代えて、上記カーナビゲーション装置やカーオーディオ装置が備える操作インタフェースを用いる構成としてもよい。この場合、上記カーナビゲーション装置やカーオーディオ装置と車載装置１とを接続するためのインタフェースを、車載装置１に設けてもよい。さらに、車載装置１が備える操作部２１を、有線または無線接続される遠隔操作装置として構成してもよく、アンテナ１７ａとして、上記車輌に設置済みのアンテナを流用する構成としてもよく、その他の細部構成についても任意に変更可能であることは勿論である。
【図面の簡単な説明】
【００５６】
【図１】本発明を適用した実施の形態に係る車載装置の構成を示すブロック図である。
【図２】車載装置により実行される予約処理を示すフローチャートである。
【図３】予約処理において表示される画面の一例を示す図である。
【図４】予約処理において表示される画面の別の例を示す図である。
【図５】車載装置により実行される記録処理を示すフローチャートである。
【符号の説明】
【００５７】
１  車載装置（記録制御装置、記録装置）
２  ＡＣＣ電源供給線
１１  充電部
１２  バッテリ
１３  切替部
１４  電源分配回路部
１５  バッテリ残量検出部
１６  マイコン（表示制御手段）
１６ａ  メモリ
１７  チューナ部
１８  受信状態検出部
１９  記録部
２０  表示部（表示画面）
２１  操作部
３０ａ、３０ｂ  予約画面
【図１】
2008071391.tif 000003
【図２】
2008071391.tif 000004
【図３】
2008071391.tif 000005
【図４】
2008071391.tif 000006
【図５】
2008071391.tif 000007